Podtech/llm-jp-corpus-v4-ja_patent huggingface dataset:
(57)【要約】【課題】ＳＣＲ制御される単相コンデンサを一つにまとめてむだを省く。【解決手段】単相コンデンサ３台を一つのケースに収めその内の２台をＶ結線にし、他の１台を単相のままとする。これにより、ブッシングは１本節約して５本となり、フューズも１本節約して２本となり、ケースも３個が１個になる。【選択図】　　　　　　図１
2004072987.tif 000002
【特許請求の範囲】
【請求項１】
図１に示すようにコンデンサ（Ｃ１，Ｃ２、Ｃ２）の一端をそれぞれブッシング（１，２，４）に接続し、コンデンサ（Ｃ１）とコンデンサ（Ｃ２）の他端を接続してフューズ（Ｆ１）を通してブッシング（３）に接続し、コンデンサ（Ｃ３）の他端はフューズ（Ｆ２）を通してブッシング（５）に接続しこれらを一つのケースに収納することを特徴とする、コンデンサ。
【発明の詳細な説明】
【０００１】
【発明の属する技術分野】
本発明は、リアクトルとコンデンサをとサイリスタを直列に接続したものを制御して電源電圧を安定化する装置に用いられる３相コンデンサに関する。
【０００２】
【従来の技術】
従来のコンデンサは単相コンデンサを３台用いて３相コンデンサとしていた。
【０００３】
【発明が解決しようとする課題】
従来のコンデンサでは本来３相で用いられるものでありながら、高価な単相コンデンサを３台用いていた。
しかし単なるブッシング３本の３相コンデンサではＳＣＲの制御が出来ない。
本発明の課題は３相コンデンサでありながら、単相のコンデンサ３台として使用できるもので使用部品を少なくしたコンデンサの開発を課題としている。
【０００４】
【課題を解決するための手段】
上記の目的を達成するために、本発明では単相コンデンサ３台を一つのケースに入れて、外見上は３相コンデンサと同じようにし、共通に使用できる２本のブッシングを１本にまとめて５本ブッシングとし、保護用のフューズも３本を２本にして解決した。
【０００５】
【発明の実施の形態】
発明の実施の形態を図面を参照して説明する。
図１は本発明のコンデンサの結線図である。
この図においてコンデンサ（Ｃ１、Ｃ２）はＶ結線され、一端はそれぞれブッシング（１、２）に接続され、他端はフューズ（Ｆ１）を通してブッシング（３）に接続されている。
【０００６】
コンデンサ（Ｃ３）は単相コンデンサで、一端をブッシング（４）に接続され他端をフューズ（Ｆ２）を通してブッシング（５）に接続されている。
ここでブッシングの代わりにリード線を用いることは容易に出来る事なので、本文ではブッシングと記した場合はリード線も含むものとする。
【０００７】
図２は本発明のコンデンサをサイリスタやリアクトルを直列に接続して３相機として使用する場合の結線図であるが、サイリスタはダイオードとサイリスタの逆並列接続のものを用いたり、トライアックを用いたりすることは容易に出来ることなので、本文ではサイリスタと記した場合はこれらも含むものとする。
この場合、サイリスタ（ＳＣＲ）、リアクトル（Ｌ１、Ｌ２、Ｌ３）コンデンサ（Ｃ１、Ｃ２、Ｃ３）をそれぞれ直列に接続したものを３相電源（Ａ，Ｂ，Ｃ）に図示のように接続している。
【０００８】
【発明の効果】
本発明は、以上説明したように構成されているので、単相コンデンサとして使うことが出来るにもかかわらず、３相分のコンデンサが一つのケースに収納され、ケースの価格が安くなり、ブッシングとフューズがそれぞれ１本づつ少なくなり、外部配線も簡単になる。
【０００９】
【図面の簡単な説明】
【図１】本発明の実施例を示すコンデンサの結線図である。
【図２】本発明のコンデンサの使用例を示す結線図である。
【符号の説明】
Ｃ１、Ｃ２、Ｃ３　　　　　　　コンデンサ
Ｆ１、Ｆ２　　　　　　　　　　フューズ
１，２，３，４，５　　　　　　ブッシング
ＳＣＲ　　　　　　　　　　　　サイリスタ
Ａ，Ｂ，Ｃ　　　　　　　　　　３相電源
【図１】
2004072987.tif 000003
【図２】
2004072987.tif 000004
(57)【要約】【課題】通常，交流発電機では、回転子回転速度と発電周波数および電圧は比例するため、入力エネルギーの変動が発電周波数、電圧の変動となり安定した電力を直接発電することが出来ない。このため，周波数変換器などの付随設備が必要である。また、過大なエネルギーが発電機に入力された場合、発電システムを保護するために発電を停止しなければならない。【解決手段】発電機の固定子２を回転可能な構造にし、固定子２の回転数を固定子回転速度制御装置により、固定子２と回転子１の相対速度を一定の範囲内に制御する。これにより，安定した周波数と電圧の電力を直接発電することを可能にする。【選択図】図１
2004072988.tif 000002
【特許請求の範囲】
【請求項１】
エネルギー源が不安定な状態においても、安定した電力を発電可能にする装置。
【請求項２】
発電機への入力エネルギーが過大な場合でも，発電を可能とする装置。
【発明の詳細な説明】
【０００１】
【産業上の利用分野】
本発明は、非定常なエネルギー源から安定した電力を発電する装置に関するものである。
【０００２】
【従来の技術】
非定常なエネルギー源での発電においては、安定した周波数の交流電力を発電するために直流電力で発電し，周波数変換機等により交流電力へ変換している。この方法では周波数変換機などの付随設備が必要となり，システムの複雑化，生産コストの上昇等の欠点がある。また、発電装置の最大発電量以上のエネルギーが発電機入力された場合、発電システムの破損を防止するために発電を停止する必要がある。
【０００３】
【発明が解決しようとする課題】
発電機は、エネルギー源からのエネルギーにより回転子が回転し、固定子との間に相対速度が発生する。このとき、回転子が磁界を横切ることにより電力が発生する。この相対速度と発電周波数および電圧は比例するため、入力エネルギーの変動が発電周波数、電圧の変動となり安定した電力を直接発電することが出来ない。このため，周波数変換器などの付随設備が必要である。また、過大なエネルギーが発電機に入力された場合、発電システムを保護するために発電を停止しなければならない。
【０００４】
【課題を解決するための手段】
発電機の固定子を回転可能な構造にし、固定子の回転数を制御することにより、固定子と回転子の相対速度を一定の範囲内に制御する。
【０００５】
【発明の効果】
本発明は、以上に説明したような構成により、次のような効果を奏する。
入力エネルギーの変動が大きな場合でも、安定した周波数、電圧の電力を直接発電できる。
従来の発電方法に比較して、入力エネルギーの最大許容値を大きく出来る。
周波数変換機などの付随設備無しに安定した電力を発電できる為、発電コストを下げることができる。
【図面の簡単な説明】
【図１】内側軸が回転子の場合の概念図である。
【図２】外側環が回転子の場合の概念図である。
【符号の説明】
１　回転子付軸
２　固定子付枠
３　固定子付枠回転速度制御装置
４　基礎
５　回転子付枠
６　固定子付軸
７　固定子付軸回転速度制御装置
８　基礎
【図１】
2004072988.tif 000003
【図２】
2004072988.tif 000004
(57)【要約】【課題】微細な突起電極を容易に、しかも平坦に形成することができる突起電極付き配線基板の製造方法の提供。【解決手段】離型性支持体を備えた金属層に、電解めっきにて導体回路を形成する工程と、当該導体回路側に絶縁基板を熱圧着して該絶縁層に平坦な回路を形成する工程と、当該回路形成後、離型性支持体を剥離して金属層を露出せしめる工程と、当該露出した金属層に電解めっきにて突起電極を形成する工程とを有する。【選択図】　図１
2004072027.tif 000002
【特許請求の範囲】
【請求項１】
離型性支持体を備えた金属層に、電解めっきにて導体回路を形成する工程と、当該導体回路側に絶縁基板を熱圧着して該絶縁層に平坦な回路を形成する工程と、当該回路形成後、離型性支持体を剥離して金属層を露出せしめる工程と、当該露出した金属層に電解めっきにて突起電極を形成する工程とを有することを特徴とする突起電極付き配線基板の製造方法。
【発明の詳細な説明】
【０００１】
【発明の属する技術分野】
本発明は突起電極付き配線基板の製造方法に関する。
【０００２】
【従来の技術】
従来、突起電極付き配線基板は図２に示される工程により製造されていた。
すなわち、まず銅張りした基材１１を用意し（図２（１））、銅箔上に感光性エッチングレジスト１２を形成する（図２（２））。次いで、回路非形成部の感光性エッチングレジスト１２を露光・現像し、開口部を設ける（図２（３））。次いで、露出した銅をエッチングする（図２（４））。次いで、感光性エッチングレジスト１２を剥離する（図２（５））。次いで、全面に無電解銅めっき１３を施す（図２（６））。次いで、感光性めっきレジスト１４を形成する（図２（７））。次いで、ランド１５対応部の感光性めっきレジスト１４を露光・現像し、開口部を設ける（図２（８））。次いで、感光性めっきレジスト１４の当該開口部に電解銅めっきによる突起電極１６を形成する（図２（９））。次いで、感光性めっきレジスト１４を剥離する（図２（１０））。次いで、無電解銅めっきのみをエッチングして（図２（１１））、突起電極付き配線基板を製造していた。
【０００３】
しかしながら、突起電極は微細なため、微細化に限界があるサブトラクティブ法による回路形成では、そもそも形成が難しいと言う問題があった。
さらに、突起電極を形成するランドに絶縁層とランドとの間に数十ミクロンメートルの凹凸ができ、突起電極を形成するランドが微細なため、感光性めっきレジストを露光・現像する際にも位置合わせによるズレが生じ易く、感光性エッチングレジストの開口部がランド１５からズレた場合には、段差により図３に示すように突起電極１６を平担に形成できず、後工程での部品実装時に支障が生じる問題も発生していた。
さらにまた、感光性めっきレジストを剥離後、余分な無電解銅めっきをエッチングする際に、突起電極の下のランドまでエッチングされてしまうという問題も看過し得なかった。
【０００４】
【発明が解決しようとする課題】
本発明は上記の如き従来の問題に鑑みてなされたものであり、微細な突起電極を容易に、しかもランド上に突起電極を形成する際のめっきレジストに露光ズレが発生しても平坦な突起電極を形成することができる突起電極付き配線基板の製造方法を提供することを目的とする。
【０００５】
【課題を解決するための手段】
本発明は、離型性支持体を備えた金属層に、電解めっきにて導体回路を形成する工程と、当該導体回路側に絶縁基板を熱圧着して該絶縁層に平坦な回路を形成する工程と、当該回路形成後、離型性支持体を剥離して金属層を露出せしめる工程と、当該露出した金属層に電解めっきにて突起電極を形成する工程とを有することを特徴とする突起電極付き配線基板の製造方法により上記の目的を達成したものである。
【０００６】
【発明の実施の形態】
以下本発明の実施の形態を図１と共に説明する。
【０００７】
まず、金属層たる銅箔１ａ（３〜５μｍ）に離型性支持体であるキャリア銅箔１ｂ（３５μｍ）を備えた銅キャリア付銅箔１を用意する（図１（１））。ここでは、離型性支持体として銅キャリアを用いたが、銅キャリアにこだわることはなく、離型性支持体であれば、フィルムタイプのものあるいはステンレス等の金属板を使用しても構わない。
【０００８】
次いで、銅箔１ａ側に感光性めっきレジスト２を形成する（図１（２））。次いで、導体回路形成部の感光性めっきレジスト２を露光・現像し、開口部を設ける（図１（３））。次いで、感光性めっきレジスト２の当該開口部に金属めっきを電気的に析出させ、それを導体回路３とする（図１（４））。
【０００９】
尚、ここに金属めっきの金属としては、Ｃｕ、Ｎｉ、Ａｕ、Ｃｒ、Ａｇ、Ｓｎ等が挙げられ、またはんだ等の合金でも構わない。また、キャリアの銅箔と異なる金属を析出させ、回路形成時に選択エッチングができるようにしても構わない。
【００１０】
次いで、析出させた金属めっきを粗化４する（図１（５））。次いで、感光性めっきレジスト２を剥離する（図１（６））。次いで、導体回路３側に絶縁基板５を熱圧着することによって、導体回路３を当該絶縁基板５に埋め込む（図１（７））。尚、ここに絶縁基板５の材料は、熱硬化性樹脂、熱可塑性樹脂あるいは液晶ポリマー等の如何を問わない。
【００１１】
次いで、キャリア銅箔１ｂを剥離する（図１（８））。次いで、突起電極５の厚みに応じて、感光性めっきレジスト２を１０〜６０μｍの厚みで形成する（図１（９））。次いで、突起電極形成部の感光性めっきレジスト２を露光・現像し、開口部を設ける（図１（１０））。次いで、感光性めっきレジスト２の当該開口部に突起電極６を電解めっきにて形成する（図１（１１））。次いで、感光性めっきレジスト２を剥離する（図１（１２））。次いで、露出した銅箔１ａをエッチングして（図１（１３））、突起電極付き配線基板を得る。
【００１２】
【発明の効果】
本発明方法は、離型性支持体を備えた金属層を利用して、微細な導体回路を形成すると共に、転写により絶縁基板に導体回路を埋め込んでいるため、微細なランドを平滑に形成でき、かつその同一の金属層を利用して突起電極を電解めっきにて形成しているため、従来の如き無電解銅めっき工程が省け、微細な突起電極を容易に形成することができる。しかも微細なランド上に突起電極を形成する際のめっきレジストに露光ズレが発生しても、本発明方法によれば、前記の如く微細ランドが絶縁基板に埋め込まれているので、平坦な金属層に突起電極が形成される結果、突起電極も平坦に形成される。
【図面の簡単な説明】
【図１】本発明方法による製造例を示す断面工程説明図。
【図２】従来方法による製造例を示す断面工程説明図。
【図３】従来方法において露光ズレが発生した場合の突起電極の形状を示す断面説明図。
【符号の説明】
１：キャリア付き銅箔
１ａ：銅箔
１ｂ：キャリア銅箔
２，１４：感光性めっきレジスト
３：導体回路
４：粗化
５：絶縁基板
６，１６：突起電極
１１：銅張りした基材
１２：感光性エッチングレジスト
１３：無電解銅めっき
【図１】
2004072027.tif 000003
【図２】
2004072027.tif 000004
【図３】
2004072027.tif 000005
(57)【要約】【課題】通信装置のファクシミリ送受信過程中において電子メールの形式によって通信フローを送受信する方法を提供し、管理上および使用上の効率と便利さを向上する。【解決手段】ある通信装置のファクシミリ通信中においてその送信または受信の通信フローを記録すると共に、特定の時間や即時実行のコマンドが発行される場合などの時に、前記記録テーブルや記録プリントなどを電子メールの形式によって予め設定される個人や他の複数の受取人同士に送信して参考に供させる。【選択図】　　　図１
2004072335.tif 000002
【特許請求の範囲】
【請求項１】
ある通信装置のファクシミリ通信過程中において電子メールの形式によってその通信フローを送信する方法であって、
ユーザーがドキュメントを送信または受信しようとすることを入力するステップ（ａ）と、
ファクシミリを送信または受信する過程中においてその通信フローを記録するステップ（ｂ）と、
テーブルまたはプリントによってすべての通信フローを記録するステップ（ｃ）と、
設定される時間に達したか、即時実行のコマンドが発行されたかを判断するステップ（ｄ）と、
ｙｅｓである場合に前記記録テーブルやプリントを電子メールの方式によって予め設定される個人や複数の情報受取人にメールするステップ（ｅ）とを
少なくとも有することを特徴とする電子メールの形式によって通信フローを送信する方法。
【請求項２】
前記ステップ（ｄ）において設定時間に達していない場合または即時実行のコマンドが発行されない場合ではステップ（ｂ）に戻って続行することを特徴とする請求項１に記載の電子メールの形式によって通信フローを送信する方法。
【請求項３】
前記ステップ（ｅ）において、前記テーブルまたはプリントとが純文字の形式または電子ドキュメントに転換する形式または図形ファイルの形式によって電子メールにより予め設定される個人や複数の情報受取人にメールすることを特徴とする請求項１に記載の電子メールの形式によって通信フローを送信する方法。
【請求項４】
前記通信装置としてインターネットファクシミリ（Ｉ−Ｆａｘ）機能を有する通信製品を採用することを特徴とする請求項１に記載の電子メールの形式によって通信フローを送信する方法。
【発明の詳細な説明】
【０００１】
【発明の属する技術分野】
本発明は、電子メールの形式によって通信フローを送信する方法に係わり、特にある通信装置のファクシミリ通信中においてその送信または受信の通信フローを記録すると共に、特定の時間や即時実行のコマンドが発行される場合などの時に、前記記録テーブルや記録プリントなどを電子メールの形式によって予め設定される個人や他の複数の受取人同士に送信して参考に供させることを特徴とする電子メールの形式によって通信フローを送信する方法に関する。
【０００２】
【従来の技術】
現有の通信装置例えばインターネットファクシミリ（Ｉｎｔｅｒｎｅｔ−Ｆａｘ；Ｉ−Ｆａｘ）などの場合では、インターネットにおける電子メールによってファクシミリ情報を送受信でき、その製品は複数のユーザー達に共用させることができ、電子メールの形式によってイメージ情報を送受信できるようになっている。
【０００３】
しかしながら、そのような製品は使用される場合にファクシミリの送信または受信のフロー（例えばＴ．３０通信協定）を記録して特定の時間にまたは即時実行のコマンドが発行される場合に前記記録をテーブルまたはプリントの形式によって電子メールの方式により送受信できないため、製品の管理上と使用上の効率が低い。
【０００４】
そのため、本発明は管理上および使用上の効率と便利さを向上させるべく通信装置のファクシミリ送受信過程中において電子メールの形式によって通信フローを送受信する方法を提供することを目的とする。
【０００５】
【課題を解決するための手段】
前記の目的を図るために、本発明の作法はある通信装置に対しユーザーがファクシミリを送信または受信しようとすることを入力し、ファクシミリを送信または受信過程中においてその通信フローを記録し、且つテーブルまたはプリントの方式によってすべての通信フローを記録し、且つ所定の時間に達した場合にまたは即時実行のコマンドが発行される場合にそれらの記録されたテーブルやプリントなどを純文字または電子メールに転換する方式または図形ファイルの形式によって電子メールにより予め設定される個人や複数の受取人同士に送信し参考に供することを特徴とする電子メールの形式によって通信フローを送信する方法を提供する。
【０００６】
【発明の実施の形態】
図１に示すのは本発明のフローチャートである。図に示すように、本発明はある通信装置がファクシミリを送受信する場合、電子メールの形式によってその通信フローを送信する方法を提供し、そのうち、前記通信装置としてインターネットファクシミリ（Ｉ−Ｆａｘ）機能を有するいずれの通信製品を採用でき、本発明の方法には下記のようなステップを含有する。
【０００７】
ユーザーがドキュメントを送信または受信しようとすることを入力するステップ（ａ）と、
ファクシミリを送信または受信する過程中においてその通信フローを記録し、前記通信フローにはＴ．３０，Ｖ．８・・・などの通信協定を含む、ステップ（ｂ）と、テーブルまたはプリントによってすべての通信フローを記録するステップ（ｃ）と、
設定される時間（例えば毎日の午後五時）に達したか、即時実行のコマンドが発行されたかを判断するステップ（ｄ）と、
ｙｅｓである場合に前記記録テーブルやプリントを純文字（ＴＸＴ）または電子ドキュメント（ＰＤＦ）または図形ファイル（Ｔｉｆｆ，ｊｐｅｇ）の形式に転換し、且つ電子メールの方式によって予め設定される個人や複数の情報受取人にメールし、さもなければステップ（ｂ）に戻って続行する、ステップ（ｅ）とを少なくとも有する。
【０００８】
【発明の効果】
前記の本発明の方法によってすべての通信フローを記録することによって通信装置の管理上および使用上の効率を向上する。
【０００９】
前記に説明した通りに、本発明の設計によってその特徴は通信装置のファクシミリ通信中に当該ファクシミリの受信または送信するすべての通信フローを記録し、且つテーブルまたはプリントの方式によってすべての通信フローを記録し、特定の時間に達した場合にまたは即時実行されるコマンドが発行される場合にこの記録テーブルまたは記録プリントを電子メールの形式によって予め設定される個人や複数の受取人同士に送信し参考に供させる。このような作法は従来の製品にはない独特な作法であり、そのため、通信装置の管理上および使用上の効率を大幅に向上できる。
【図面の簡単な説明】
【図１】本発明のフローを示すフローチャートである。
【符号の説明】
【図１】
2004072335.tif 000003
(57)【要約】【課題】操作性がよく、またコストを低く抑えることができる電話機を利用した遠隔制御システムを提供する。【解決手段】操作者は音声ガイドに従って電話機１から制御コマンドを入力する。入力された制御コマンドは音声応答装置３により制御電文フォーマットに変換され、信号変換部４へ制御電文を送出する。信号変換部４は受け付けた制御電文に基づいて制御指示を制御部５へ出力する。制御部５はアンテナ回転装置６に対して電圧を印加し、アンテナの左右、上下回転制御出力を行う。【選択図】　図１
2004072210.tif 000002
【特許請求の範囲】
【請求項１】
電話機のトーン信号を用いて遠方のアンテナを制御する遠隔制御システムであって、前記電話機からの発信を受信すると前記電話機に対して音声ガイドを送出し、かつ前記電話機からのトーン信号に基づいて制御電文を作成する音声応答部と、前記制御電文に基づいて制御信号を作成する信号変換部と、前記制御信号に基づいてアンテナを回転させる制御部とを有することを特徴とする遠隔制御システム。
【発明の詳細な説明】
【０００１】
【発明の属する技術分野】
本発明は遠隔制御システムに関し、特に電話機のトーン信号を用いて制御を行う遠隔制御システムに関する。
【０００２】
【従来の技術】
従来の遠隔制御システムとしては、特開２０００−０８３００４号公報に記載されているものがある。図によれば、制御部はモデムを介して所定の形態の信号を電話機へ送出する。また、制御部はメモリ部に記憶された制御順データに基づいて被制御機器を制御する。
【０００３】
また、特開平１０−３３６２５０号公報に記載の遠方監視制御システムによれば、ＰＢトーン信号を、パケット通信網を介したゲートウェイ装置間でパケット信号に変換、復元し、電話網を通して制御対象システムに対して制御信号を送出している。
【０００４】
【発明が解決しようとする課題】
しかしながら、上記従来技術においては、電話機などのＰＢ信号発生装置からゲートウェイ装置などのパケット通信設備を介して制御対象システムへアクセスしなければならず、操作性が悪いという問題があった。また、ＰＢ信号発生装置にＰＢ信号をパケット信号に変換する装置が必要となるために設備コストがかかってしまうという問題点もあった。
【０００５】
【課題を解決するための手段】
本発明は、電話機のトーン信号を用いて遠方のアンテナを制御する遠隔制御システムであって、前記電話機からの発信を受信すると前記電話機に対して音声ガイドを送出し、かつ前記電話機からのトーン信号に基づいて制御電文を作成する音声応答部と、前記制御電文に基づいて制御信号を作成する信号変換部と、前記制御信号に基づいてアンテナを回転させる制御部とを有することを特徴とする。
【０００６】
【発明の実施の形態】
本発明の実施の形態について図面を参照して詳細に説明を行う。図１は本発明の一実施形態としての遠隔制御システムのブロック図である。図１において、電話機１はトーン信号を発信することができる電話機であり、公衆回線網２を介して音声応答装置３へ電話をかけると、音声応答装置３は電話機１へ音声によりメッセージ応答する（音声ガイドを電話機１に送出する）。
【０００７】
操作者は、音声ガイドに従って電話機１の押しボタンを押下することにより、電話機１からトーン信号を音声応答装置３に発信する。電話機１からのトーン信号に基づいて音声応答装置３は信号変換部４に対して制御電文を送出する。ここで、電話機１からはアンテナ回転装置６に対する制御内容を指示するが、アンテナ回転装置６に対して左回転を指示する場合は電話機１の「４」のボタンを押下し、右回転を指示する場合は電話機１の「６」のボタンを押下する。また、上回転を指示する場合は電話機１の「２」のボタンを押下し、下回転を指示する場合は電話機１の「８」のボタンを押下する。回転を停止する場合は電話機１の「５」のボタンを押下する。
【０００８】
制御電文を受信した信号変換部４は、制御電文の内容に基づき制御指示を制御部５に出力する。制御部５は、アンテナ回転装置６に対して電圧を印加する機能を有する。アンテナを左もしくは下に回転させる場合は、アンテナ回転装置６に対してＤＣ−６Ｖを印加し、右もしくは上に回転させる場合にはＤＣ＋６Ｖを印可する。なお、左右の回転指示を行う電圧出力端子と、上下の回転指示を行う電圧出力端子は別々になっている。
【０００９】
次に図２のフローチャートを用いて本実施形態の動作を説明する。トーン信号の発信可能な電話機１より音声応答装置３に着信があると（Ｓ１）、音声応答装置３は電話機１に対して音声によるメッセージ応答を行う（Ｓ２）。この時、電話機１から暗証番号を入力し、音声応答装置３により操作者の認証を行う（Ｓ３）。電話機１における操作は数字ボタン（０〜９）、＊ボタン、♯ボタンを使用する。
【００１０】
音声応答装置３は電話機１から入力された暗証番号が正しいかどうかの判断を行い（Ｓ４）、正しくなければ回線の切断処理を行う（Ｓ５）。暗証番号が正しい場合は音声応答装置３から電話機１に対して制御内容に関する音声ガイドを行う（Ｓ６）。
【００１１】
操作者は音声ガイドに従って電話機１より任意の制御コマンドの入力を行う。この制御コマンドは電話機１からのトーン信号により入力され、信号変換部４は入力されたトーン信号に基づいて制御指示を制御部５に出力する（Ｓ７）。制御部５は受信した制御指示に基づいてアンテナ回転装置６に対して電圧を印加する（Ｓ８）。
【００１２】
電話機１からの終了コマンド入力により、一連の制御を終了するかどうかの判断を行い、終了の場合は回線の切断を行う（Ｓ９）。
【００１３】
【発明の効果】
以上説明したように本発明によれば、パケット通信端末が不要となり、電話機のみを利用してアンテナ回転装置の制御が可能となる。また、パケット通信設備が不要になる為、設備コストが安価ですむという効果がある。
【図面の簡単な説明】
【図１】本発明の実施形態を示すブロック図である。
【図２】本発明の動作を示すフローチャートである。
【符号の説明】
１　電話機
２　公衆回線網
３　音声応答装置
４　信号変換部
５　制御部
６　アンテナ回転装置
７　遠方監視制御装置
【図１】
2004072210.tif 000003
【図２】
2004072210.tif 000004
(57)【要約】【目的】　１台のテレビカメラで波長成分の異なる複数の画像を選択的あるいは同時に出力することを目的とする。【構成】　テレビジョンカメラにおいて、１つの撮像素子の光路中に、光を透過する波長領域の異なる複数の光学フィルタを選択的に切換え装着する構成、あるいは分光器と複数の撮像素子の各光路中に、光を透過する波長領域の異なる光学フィルタをそれぞれ装着する構成としたものである。【選択図】　図１
2004072795.tif 000002
【特許請求の範囲】
【請求項１】
光を透過する波長領域の異なる複数の光学フィルタと、該複数の光学フィルタを内挿したフィルタディスクと、該フィルタディスクを回転することによって該複数の光学フィルタのいずれか１つを光路上に設定するフィルタ切換コントロール部と撮像素子とを少なくとも有し、所定フィールド毎または所定フレーム毎に選択的に上記複数の光学フィルタの１つに選択的に切換え装着する構成とし、上記撮像素子から波長領域の異なる映像信号を選択的に取り出すことを特徴とするテレビジョンカメラ。
【請求項２】
複数の撮像素子と、該撮像素子のそれぞれの光路に入射光を分光する分光器と、該撮像素子のそれぞれの光路中に光を透過する波長領域の異なる光学フィルタをそれぞれ挿入する構成とし、上記撮像素子からの波長領域の異なる映像信号を同時に取り出すことを特徴とするテレビジョンカメラ。
【請求項３】
複数の撮像素子と、該撮像素子のそれぞれの光路に入射光を分光する分光器と、該撮像素子のそれぞれの光路中に光を透過する波長領域の異なる光学フィルタをそれぞれ挿入する構成とし、上記撮像素子からの波長領域の異なる映像信号を１つの映像として取り出すことを特徴とするテレビジョンカメラ。
【発明の詳細な説明】
【技術分野】
【０００１】
　本発明は波長成分ごとの映像信号を選択的に取り出すことのできるテレビジョンカメラ、および波長成分ごとの映像信号を同時に取り出すことのできるテレビジョンカメラに関するものである。
【背景技術】
【０００２】
　従来のテレビジョンカメラは、用途に合わせて可視光用、赤外光用、紫外光用のように、波長成分ごとに独立したカメラが用いられていた。例えば、電気回路基板等のはんだのボンディグ形状検査をする場合、可視光による検査と赤外光による検査を併用することによって、よりボンディング形状が明確に検査できるため、可視光用テレビカメラと赤外光用テレビカメラを用い、それぞれのカメラで撮像した映像をそれぞれのモニタに映出し、比較検査を行っていた。
　尚、本分割出願の原出願時には、先行文献は発見できなかった。
【発明の開示】
【発明が解決しようとする課題】
【０００３】
　従来技術では、撮像したい光の成分に感度を有するカメラを個々に準備する必要がある。本発明の第１の目的は、１台のカメラで紫外光、可視光、赤外光の各成分ごとの映像を取り出すことにある。本発明の第２の目的は１台のカメラで紫外光、可視光、赤外光の各成分ごとの映像を同時に取り出すことにある。
【課題を解決するための手段】
【０００４】
　本発明は上記第１の目的を達成するため、テレビジョンカメラにおいて、１つの撮像素子の光路中に、光を透過する波長領域の異なる複数の光学フィルタを選択的に切換え装着する構成としたものである。本発明は上記第２の目的を達成するため、テレビジョンカメラにおいて、分光器と複数の撮像素子の各光路中に、光を透過する波長領域の異なる光学フィルタをそれぞれ装着する構成としたものである。
【発明の効果】
【０００５】
　本発明によれば、波長領域の異なる画像を１台のカメラで撮像でき、そのシステム構成は安価なものとなる。
【発明を実施するための最良の形態】
【０００６】
　以下、本発明の一実施例を図１により説明する。ここで、１は紫外光透過フィルタ、２は可視光透過フィルタ、３は赤外光透過フィルタで、これらのフィルタはフィルタディスク８に内挿されている。６はフィルタ切換コントロール部で、例えば、数フィールドまたは数フレーム毎にフィルタディスク８を回転し、フィルタ１〜３の内の１つを選択的に光路上に設定する。４は撮像素子で、選択的に光路上に設定されたフィルタに対応する波長成分の光を受光する。５は信号処理部で、撮像素子４から得た映像信号に各種の信号処理を施こす。図３にフィルタ１〜３の透過特性を示す。この動作は、フィルタ切換コントロール部６または手動により、所望の時間間隔（例えば、数フレーム）で、フィルタ１〜３を選択的に切換える。これにより、撮像素子４から所望の時間間隔で、紫外光映像、可視光映像、赤外光映像が得られる。なお、フィルタ１〜３の切換えのタイミング、順序等には、限定がなくカメラの使用用途に応じて、自由に設定できる。
【０００７】
　次に、本発明の他の実施例を図２により説明する。これは、プリズム等の分光器７を用いた３板式テレビカメラであり、分光器７と撮像素子４−１，４−２，４−３の各光路中に、対応する紫外光透過フィルタ１、可視光透過フィルタ２、赤外光透過フィルタ３が挿入されている。このような構成とすることにより、紫外光映像、可視光映像、赤外光映像を同時に得ることができる。なお、得られたこれらの映像は、使用目的に応じて、マトリクス合成して１つの映像としても、それぞれ独立した映像としてもよい。
【０００８】
　その結果、１台のテレビジョンカメラによって各波長領域ごとの映像信号を、選択的あるいは同時に取り出すことができる。
【図面の簡単な説明】
【０００９】
【図１】本発明の一実施例の構成を示すブロック図。
【図２】本発明の他の実施例の構成を示すブロック図。
【図３】各種フィルタの透過特性を示す図。
【符号の説明】
【００１０】
　１：紫外光透過フィルタ、２：可視光透過フィルタ、　３：赤外光透過フィルタ、４，４−１，４−２，４−３：撮像素子、５：信号処理部、６：フィルタ切換コントロール部、７：分光器。
【図１】
2004072795.tif 000003
【図２】
2004072795.tif 000004
【図３】
2004072795.tif 000005
(57)【要約】【課題】緊急時　消防署、警察等へ連絡し早く来てもらいたいが、あわてている為間違った番号をダイヤルしたり住所が直ぐ言えなかったり子供やお年よりの人がうまく話せなかったり、体の不自由な人たちは、時間がかかったりする事が多くある特に強盗等の事件の場合　電話をかけれない場合がある。【解決手段】録再装置に３、４個の押しボタンを設け　各押しボタン１個１個のボタンに点字を付け各連絡先を書き直ぐ分かる様に　各ボタンに色分けしボタンを押す事で録音した緊急の用件が電話回線で送信し各連絡先に用件、住所等を再生する。あらかじめ各ボタンに各連絡先ごとへ用件等、録音して置く事で送信し再生される。また，送信機または送信機付電話機の操作用リモコンを付ける事で、よりいっそう便利になる。【特許請求の範囲】
【請求項１】
録再装置に３、４個の押しボタンを設け色分けし、各押しボタンに連動し録音された言葉を再生し電話回線で各相手先の電話で聞ける送信機又は送信機付電話機
【請求項２】
送信機又は送信機付電話機がリモコン操作出来る、送信機又は送信機付電話機
【請求項３】
強盗等、事件のみ再生後内臓マイクが状況を送信続ける、送信機又は送信機付電話機
【発明の詳細な説明】
【０００１】
【発明の属する技術分野】
緊急時　火災、急病、事件、等があった場合　各連絡先へ通報し、来てもらう　送信機または、送信機付電話機に関するものです
【０００２】
【従来の技術】
緊急時各連絡先へ電話の番号を押し、用件、住所、氏名、電話番号等を話し、来てもらう
【０００３】
【発明が解決しょうとする課題】
今までは、次のような不便があった。
緊急時火災、急病、事件、等があった場合各連絡先へ通報し来ていただくが子供やお年よりの人や体の不自由な人など電話をかけれない人だったり、またあわてている為、電話番号を間違ったり、用件、住所、氏名、自分の電話番号等言えなかったり、間違った事を言ったり時間がかかる事が多く有る。又強盗等事件あった場合、電話をかけれない状態の時が有る。
【０００４】
【課題を解決するための手段】
録再装置に３、４個の押しボタンを設け色分けし、各押しボタンに連動し録音された言葉を再生し電話回線で各相手先の電話で聞ける送信機又は送信機付電話機送信機又は送信機付電話機を操作するリモコンを使用する。
【０００５】
【発明の実施の形態】
録再装置に３、４個の押しボタンを設け各押しボタンに連動し録音された言葉が電話回線を使用し緊急内容を相手の電話に送信する送信機または送信機付電話機。また送信機又は送信機付電話機が操作用リモコンでも出来る　各押しボタン１個１個のボタンに火災と書きまた１個に急病と書きまた１個に事件と書いたものを各色分けし、付けその押しボタンが一目で直ぐ分かる又目の不自由方でも直ぐ分かる様点字のボタンにする。カバーを付け誤って押せないようにし緊急時カバーを外し押して連絡先に用件、住所、氏名、電話番号等を再生する事により来ていただく，あらかじめ録音していたものが緊急時その各ボタンを押す事で　各連絡先へ用件、住所、氏名、電話番号等が送信されあわてていても簡単に相手に分かり、すみやかに来てもらう事が出来るまた子供、もしくはお年よりの人でも色々の人が簡単な操作で送信し来てもらう事が出来る。また事件等強盗などあった場合送信機等のそばに行けない　話せない場合がある時　隠しリモコンを押す事で緊急用送信機が送信する犯人に分からず警察へ通報が出来る。又事件等の場合のみマイクで状況が分る様送信続ける
【０００６】
【発明の効果】
緊急時　各連絡先へ電話の受話器を取ってボタン何個も押さなくて良い、ボタン１個で簡単に送信できる。子供でもお年よりの人でも一目で各緊急連絡先に発信して通報出来る
用件、住所　氏名　電話番号　等　話す必要がない
間違った事も言わなく出来る　確実に相手に伝わる
体の不自由な方でも操作が簡単に出来またリモコン操作で、より簡単に送信出来る
強盗等などあった場合電話機等の場所に行けない場合、話せない場合、隠しリモコンを押す事で犯人に分からず警察へ緊急状況内容がリアルタイムに送信続ける
(57)【要約】【課題】遠隔画像監視システムにおいて、どこでもいつでも簡単に監視できず、大型の装置が必要であった。【解決の手段】図１は本発明のＡＤＳＬと携帯電話機を組み合わせて遠隔監視システム概要である。ＣＣＤカメラ１で被監視物を撮影し画像信号エンコーダ２で写真画像の画素数縮小を行い、ＡＤＳＬ伝送部３から又はパソコン等４からプロバイダの個人のホームページに記録する。このホームページを携帯電話機８から空中線で呼び出しそこに設けられている表示器９に表示することで、遠隔地の情景をどこからでも、いつでも監視することが出来る。【選択図】図１
2004072702.tif 000002
【特許請求の範囲】
【請求項１】
遠隔地の情景をカメラで監視する方法において、監視場所の映像をＣＣＤカメラで写し、自動送信し、ＡＤＳＬを介してインターネットの指定したホームページにメモリーさせ、それを表示装置の付いた携帯電話機で監視することを特徴とする遠隔監視システム。
【請求項２】
送る側のＣＣＤカメラの写真画素数が多い場合は携帯電話機の受信できる画素数に縮小してからホームページへ転送することを特徴とする請求項１の遠隔監視システム。
【請求項３】
画素数を縮小するのに画像信号エンコーダを用いることを特徴とする請求項１の遠隔監視システム。
【請求項４】
ホームページにメモリさせた情景は一定間隔をおいて更新されることを特徴とする請求項１の遠隔監視システム。
【発明の詳細な説明】
【０００１】
【発明の属する技術分野】
携帯電話機の表示器を通して遠隔地の作業現場の概要、独り暮らしの家に残してきたペットの様子、年寄りや病人の様子、その他の画像を見る、監視カメラのシステムに関する。
【０００２】
【従来の技術】
従来インターネットを介した伝送方式としてＡＤＳＬ（ＡｓｙｍｅｔｒｉｃａｌＤｉｇｉｔａｌ　Ｓｕｂｓｃｒｉｂｅｒ　Ｌｉｎｅ）を利用した監視システムは有ったが、送受信ともパーソナルコンピュータを介して画像を監視していた。双方のコンピユータではメモリ容量が充分で有ったので可能であったが、携帯電話機は画像の容量は画素数、メモリ共に大きさにも制限があるため、直接には通信を実現できなかった。
【０００３】
【発明が解決しようとしている課題】
しかし大まかでも良いから概要を知るための情報機器として携帯電話機を利用したい要望があった。又常時接続をすると費用がかかっていて企業でなくては実現できなかった。最近ＡＤＳＬは低価格で解放されたため２４時間使用が個人でも可能になった。
【０００４】
このＡＤＳＬ回線を利用してＣＣＤカメラで撮影した写真画素数を縮小して表示器付きの携帯電話機で好きな時にどこからでも安易に監視できる。
遠隔地にＣＣＤカメラを備え付けてＡＤＳＬとインターネットを介して個人のホームページに　自動的に数分おきにデータを送り、ホームページを書き換え、表示器付きの携帯電話機で見る。
【０００５】
従来はＣＣＤカメラからの画素数が大きすぎて、写真は携帯電話機では見ることが出来なかった。携帯電話機の受信能力に会わせた画素数の大きさに縮小してホームページに転送する。ＣＣＤカメラで撮影した写真画像は、必要な画素数に縮小して、携帯電話機の受信可能なサイズにする。ちなみに５０Ｘ５０〜３６０Ｘ３６０画素程度である。
【０００６】
【課題を解決する手段】
遠隔地の情景をカメラで監視する方法において、監視場所の映像をＣＣＤカメラで写し、ＡＤＳＬを介して一定間隔で自動送信し、インターネットのホームページにメモリーさせ、それを表示装置の付いた携帯電話機で監視する遠隔監視システム。送る側のＣＣＤカメラの写真画素数が多い場合は携帯電話機の受信できる画素数に縮小してからホームページへ転送する。縮小の方法はハード的にＣＣＤ画素を減らすか、ソフト的に画素を間引くことでも良い。画素数を縮小するのに画像信号エンコーダを用いる。ＡＤＳＬを介することにより極めて経済的な運転コストで監視システムを構成する。
【０００７】
【発明の実施形態】
例えば、独り暮らしの家に残してきたペットの様子等、監視したい現場が見渡せる場所にＣＣＤカメラ１を設置し、動作可能としておく。このＣＣＤカメラの出力は通常は１０万画素程度有るので、このままでは受信し、表示を行う携帯電話機に設けられた表示器では表示しきれないので、画像エンコーダを用いて２．５ＫＢ〜１０ＫＢ画素程度に縮小する。縮小のサイズは携帯電話の能力に応じる。縮小の方法はＣＣＤ画素のうち不要な部分をカットすることにより行うが、ペットの様子を監視するならば動く部分を残し、静止部をカットするのも一方法である。あるいは、近接する画素の１／１０のみ残すという方法を採ることも可能である。
【０００８】
信号エンコーダ２の出力はＡＤＳＬ３に入力される。個々では信号は２．５ＫＢ〜１０ＫＢ程度となる。ＡＤＳＬを介することにより、常時接続でも極めて経済的に大量のデータを送ることが可能である。ＡＤＳＬの出力はＡＤＳＬの電話回線を通じて、プロバイダに持つコンピュータなどのホームページ６に送られる。データの送付は自動的に数分おきになされる。ホームページはＡＤＳＬを介して送られたデータを記憶しておき、データの更新に同期又は非同期にメモリを更新する。携帯電話機８からの指示が有れば、空中線７を介して指示があった時点でメモリしていたデータを送り出す。
【０００９】
携帯電話機８からホームページにデータを送るように空中線を通じて指示を送るとホームページはデータを発信する。このデータを携帯電話機に設けられた表示器９を用いて見ることができる。
ＡＤＳＬは常時接続でも費用は格安で一定なので、これにより、携帯電話機を保持する者はいつでも、どこにいても少ない経済的負担のみで、遠隔地の状況を大まかに知ることが可能となる。
【００１０】
尚、画像信号処理エンコーダ２とＡＤＳＬ３を用いて、ＣＣＤカメラからの画像を縮小してホームページへ送っていたが、これは一例であって、パソコン４等にこれら２つの機能を実行させる事も、勿論可能である。
【００１１】
【発明の効果】
いつでもどこでも安価に手軽に遠隔地の状況の概要を出先でパソコンが無くても簡単に携帯電話機に設けられた表示器により知ることが出来る。
【図面の簡単な説明】
【図１】は本発明のＡＤＳＬと携帯電話機を組み合わせて遠隔監視システム概要の一
例である。
【符号の説明】
１・・ＣＣＤカメラ、２・・画像信号処理エンコーダ、３・・ＡＤＳＬ伝送部
４・・パソコン、５・・ＡＤＳＬ電話回線、６・・プロバイダーホームページ、７・・空中線、
８・・携帯電話機、９・・表示器
【図１】
2004072702.tif 000003
(57)【要約】【課題】聞き取った音声をリレー方式で文字入力し、字幕送出間隔を短縮する事でニュース字幕放送の円滑化を図り、なおかつ操作を簡単にする事で使用者の準備期間を削減し、作業効率を上げる事を課題とする。【解決手段】複数の入力端末装置１０，１１，１２からリレー方式で文字入力し、送信した字幕文を端末管理装置２０が自動編集して、パケット化装置３０に送信する。このパケット化装置３０ならびに送出制御装置４０にて字幕データを管理し、インサータ５０への送出する。【選択図】　図１
2004072705.tif 000002
【特許請求の範囲】
【請求項１】
聞き取った音声をネットワーク上の複数の入力端末装置を使用してリレー方式で字幕として文字入力し、それと同時に連係の為の合図や現入力者の状態を他の入力者の作業画面に通知表示する事を特徴とするリアルタイム字幕制作送出システム。
【発明の詳細な説明】
【０００１】
【発明の属する技術分野】
本発明は、字幕放送をリアルタイムに制作送出するシステムに関する。
【０００２】
【従来の技術】
従来のニュース字幕では、字幕表示までの遅れ時間が障壁となり、映像と字幕内容が一致しない問題があった。また専用のキーボードや電子ペンなどのデバイスから入力する為、使用者は長期の特別な訓練が必要とされていた。
【０００３】
【発明が解決しようとする課題】
本発明は、複数の入力端末装置を用いたリレー方式で入力制作する事で送出間隔を短縮させ、今まで困難であった生放送における字幕を、遅れのない円滑な表示を可能としたものである。また特殊なキーボードを使用することなく使い慣れた汎用的なキーボードからの入力ならびに次入力者への移行合図などの運用操作を可能とする事で、字幕作成者の訓練などの事前準備にかかる時間の削減する事を目的としたものである。
【課題を解決するための手段】
複数の入力端末装置を用い、それらをネットワークで連携させてリレー方式で文字入力を可能とする事で、入力者は音声の聞き取り終了時にキーボードの指定キーにて合図を出し、それが次入力者の作業画面の色変化で伝えられ、次の入力が直ちに開始する。入力完了したものは、入力端末装置から端末管理装置に字幕文として送出し、端末管理装置で自動編集処理をソフトウェア的に行う。同時に、入力状態はすべての入力者の画面に通知される為、音声と入力に大きな時間差が生じた際など、状況に応じて合図なしで次入力者が並行して入力開始も可能である事を特徴とする。
【作用】
入力者は聞き取った内容を入力しながら次入力者に聞き取り終了の合図を出し、音声聞き取りの役割を次入力者に譲渡する事を知らせる為、次入力者は前入力者の入力作業中に完了を待たずに自分が担当する入力を開始出来る。この音声の占有権譲渡を知らせる合図は、入力画面の色変化で表示される事で瞬時に確認する事が出来る。これによって音声と字幕表示までの時間差が短縮可能となる。その上、他の入力者の入力内容も作業画面上で即座に確認出来る。この画面上の入力内容から、次入力者が現入力者の入力が遅延すると判断した時は、現入力者の聞き取り終了の合図を待たずに次入力者が聞き取りと入力を開始出来る。この場合、次入力者の入力画面の色は変化しないが、理論上は音声の占有権が次入力者に移行する。それにより、現入力者の入力中に先に進んだ音声は次入力者が入力しているので、現入力者の入力完了後、次入力者は入力済みの内容をすぐに送信でき、音声と入力の大幅な時間差が回避出来る。そして、現入力者は入力画面上で確認した次入力者の入力開始部分の内容に合わせて入力を完了する為、入力内容の重複、欠落が防げる。以上のような入力者同士の補完で、入力が遅れた際の字幕送出間隔の短縮が可能となる。パケット化装置または送出制御装置で字幕の文字色、背景色、開始位置の指定をする事で、字幕の表示・送出の制御、非常時には字幕中断メッセージの送出を行うなど、字幕送出の管理も容易に行なう事が出来る。因みに、汎用的なパソコンのキーボードに対応する事で、入力者は使い慣れたキーボードに交換が可能となる為、使用者に入力操作についての特殊な訓練の必要がない。
【実施例】
図１には、本発明によるリアルタイム字幕制作送出システムの構成・処理過程を模式的に示した説明図を示す。
音声を聞き取りながら入力端末装置１０に内容を入力し、端末管理装置２０に送信する。端末管理装置２０は、送信された入力内容を共同で連携して作業しているすべての入力端末装置１１，１２に通知する。現入力者は、入力端末装置１０から聞き取り終了時点で次入力者の入力端末装置１１の作業画面の色を変え音声の占有権譲渡の合図を送り、残りの入力を終えた時点で、入力内容を確定させ入力終了を知らせる。入力端末装置１０から入力終了のデータを受け取った端末管理装置２０が、データキューに入力内容を保存し、その後、行頭にきた句読点の削除など不自然な文字表記の修正や、文字数に応じて字幕の表示時間を設定するなどの自動編集処理を施した後、パケット化装置３０に送信する。そしてパケット化装置３０は受け取ったデータをパケット化し、インサータ５０に送出するとともに、送出ログを保存し、端末管理装置２０および送出制御装置４０に送出ログの通知を行う。パケット化装置２０と送出制御装置４０からはインサータ５０への字幕送出の制御、あるいは字幕中断メッセージのインサータへの送出など送出状態の変更が可能であり、これらの処理を行った場合、端末管理装置２０と送出制御装置４０に状態が通知される。以上のような入力から送出まで一連の処理と管理をソフトウェア的に行う事で、字幕の遅れを最小限にする事が出来る。
【発明の効果】
以上の如く、本発明によるリアルタイム字幕制作送出システムを使用すれば、リレー方式による文字入力操作が容易に行えるので、音声と字幕表示の時間差が圧縮されるので、より見やすい字幕放送が可能となる。この上、字幕送出までの管理も内容を確認しながら容易に出来るので、状況に応じた放送対処が即座に行える。また、特別な入力操作を必要としないので、使用者の長期訓練が不要となり、準備期間の短縮が出来る。
それによって、情報の即時性が要求されるニュースをはじめとする報道番組に対応出来、より多くの字幕番組が制作、放送可能となり、難聴者の情報格差是正にも寄与するものである。
【図面の簡単な説明】
【図１】本発明によるリアルタイム字幕制作送出システムの構成・処理過程を模式的に示した説明図である。
【符号の説明】
１０，１１，１２　入力端末装置
２０　端末管理装置
３０　パケット化装置
４０　送出制御装置
５０　インサータ
【図１】
2004072705.tif 000003
(57)【要約】【課題】通信で直に上位から書き込められる様にすることで、作業性を向上させることを目的とする。【解決手段】通信の特殊コマンドで通信ＬＳＩ自体がこれを解読し以降のデータをＣＰＵの書き込みデータとし同時にフラッシュメモリーの書き込み電圧を制御する。【選択図】    図１
2004157651.tif 000002
【特許請求の範囲】
【請求項１】
各種ポートで内部の不揮発性メモリーを書き込み可能なＣＰＵと、これとインタフェースする通信ＬＳＩと、通信ＬＳＩからＪポートへのインタフェースをも可能とし、上位から通信部への特殊コマンドでポートへのアクセスを可能にし、直にメモリーの書き込みを行うメモリー書き込みシステム。
【請求項２】
上記ＬＳＩは書き込み用電源の制御も可能とした請求項１記載のメモリー書き込みシステム。
【発明の詳細な説明】
【０００１】
【発明の属する技術分野】
本願はフラッシュメモリー等を搭載したＣＰＵを用いた通信機能を有するコントローラシステムに関する。
【０００２】
【従来の技術】
従来のフラッシュメモリーの書き込みシステムは図２のようになっている。図２において、フラッシュライターは書き込み電圧と信号を与えてＣＰＵ内部のメモリーに書き込みを行うものとなっている。通信でフラッシュの内容を書き換える事も一部で行われているが、これは書き換えでありＣＰＵ２が動作し自分のプログラムを書き換える物で、事前に書き換えのプログラムが書き込まれていなければならないし、このプログラムが破壊されている時は動作し得ない（例えば、特許文献１参照）。
【０００３】
【特許文献１】特開２００１−３０６５４３号公報（第３頁、第１図）
【０００４】
【発明が解決しようとする課題】
ところが、従来技術による方式ではコントローラ自体に専用のコネクターも必要とするし、コントローラ自体に直にアクセス出来なければならないという問題があった。
そこで、本発明は通信で直に上位から書き込められる様にすることで、作業性を向上させるメモリ書き込みシステムを提供することを目的とする。
【０００５】
【課題を解決するための手段】
通信の特殊コマンドで通信ＬＳＩ自体がこれを解読し以降のデータをＣＰＵの書き込みデータとし同時にフラッシュメモリーの書き込み電圧を制御する。
【０００６】
【発明の実施の形態】
図１は本願の構成で有る通信ＬＳＩは通信データの解析機能をも有する物である、通常はバスでＣＰＵ２からアクセスされる。上位から書き込みのコマンドが来るとＬＳＩはＶｐｐを制御しＣＰＵ２の書き込みポートに対してデータを送りＣＰＵ２内部のフラッシュメモリーを書き換える。即ち専用のポートを必要とせずに機械的にＣＰＵ２のプログラムの書き込みが出来る。
【０００７】
【発明の効果】
特別のコネクター等を用意しないで離れた所にあるコントローラのＣＰＵのメモリーの書き込みが出来る。
【図面の簡単な説明】
【図１】本発明の図
【図２】従来の図
【符号の説明】
１  ＬＳＩ
２  ＣＰＵ
３  フラッシュライター
【図１】
2004157651.tif 000003
【図２】
2004157651.tif 000004